(57)【要約】【課題】簡易な構造で、かつ、魚類の隠れ場所となる陰影部分の面積を大きく確保して、蝟集効率を向上させることができる浮魚礁を提供する。【解決手段】この浮魚礁１０は、多数の小浮体１を１本の長尺のロープ２を介して数珠状に連結したものを所定の長さ毎にジグザグ状に折り返してほぼ矩形形状に配置するとともに、各折り返し部分に位置する両側の各小浮体１ａ，１ｂを貫通するように２本のロープ３ａ，３ｂにより連結してほぼ矩形形状の面状浮礁体４を構成し、この面状浮礁体４の四隅に係留索５の上端部を連結し、それら４本の係留索５の下端部にアンカー６を連結して構成する。【選択図】図１
2013106592.tif 000002
【特許請求の範囲】
【請求項１】
多数の小浮体をロープにより同一平面上で連結して面状浮礁体を構成し、その面状浮礁体の複数箇所にロープの上端部を連結すると共に、その下端部に錘を連結したことを特徴とする浮魚礁。
【請求項２】
請求項１記載の浮魚礁において、多数の小浮体をロープにより数珠状に連結し、その数珠状に連結した多数の小浮体を同一平面上で所定の長さ毎にジグザグ状に折り返し配置することによりほぼ矩形形状の面状浮礁体を構成することを特徴とする浮魚礁。
【請求項３】
請求項１記載の浮魚礁において、多数の小浮体をロープにより数珠状に連結し、その数珠状に連結した多数の小浮体を同一平面上で渦巻状に配置することによりほぼ円形形状の面状浮礁体を構成することを特徴とする浮魚礁。
【発明の詳細な説明】
【技術分野】
【０００１】
この発明は、表層または中層域に礁体を浮遊させる浮魚礁に関し、簡便な構造で、設置も容易な浮魚礁に関する。
【背景技術】
【０００２】
この種の浮魚礁は、一般的に、礁体と、係留索（ロープ）と、アンカーとで構成されている。係留索とアンカーは基本的に共通のものであり、礁体の構造により、立体網型、コンドル型、あんどん型などに区分される。近年では、立体網型の礁体を採用した浮魚礁が主流となっている（例えば、特許文献１，２参照。）。立体網型の浮魚礁は、通常、ＦＲＰ製の枠体の周囲に網を張るとともに、内部にＡＢＳ樹脂製のフロートを内蔵した円筒状の礁体であって、その下端側に取り付けた係留索とアンカーとにより、表層域あるいは海面下の一定水深に設置される。
【先行技術文献】
【特許文献】
【０００３】
【特許文献１】特許第３３３５４９７号公報
【特許文献２】実用新案登録第３１０１４３３号公報
【発明の概要】
【発明が解決しようとする課題】
【０００４】
しかしながら、このような構造の浮魚礁は、礁体の構造からして高価にならざるを得ず、また潮流に対する抵抗が大きく、設置費用も嵩むなどの問題点があった。さらに、海中あるいは海面付近において礁体が直立状態に設置されるため、礁体の大きさの割りには、魚類の隠れ場所となる陰影部分が少なく、蝟集効率の向上にも改善の余地があった。
【０００５】
そこで、本発明はこのような問題点を解決するためになされたもので、簡易な構造で、かつ、魚類の隠れ場所となる陰影部分の面積を大きく確保して、蝟集効率を向上させることができる浮魚礁を提供することを目的とする。
【課題を解決するための手段】
【０００６】
上記目的を達成するため、請求項１に記載の発明の浮魚礁は、多数の小浮体をロープにより同一平面上で連結して面状浮礁体を構成し、その面状浮礁体の複数箇所にロープの上端部を連結すると共に、その下端部に錘を連結したことを特徴とする。これにより、浮魚礁を簡易に製作できると共に、魚類の隠れ場所となる陰影部分の面積を大きく確保して、蝟集効率を向上させることができる。
また、請求項２に記載の発明の浮魚礁は、請求項１記載の浮魚礁において、多数の小浮体をロープにより数珠状に連結し、その数珠状に連結した多数の小浮体を同一平面上で所定の長さ毎にジグザグ状に折り返し配置することによりほぼ矩形形状の面状浮礁体を構成することを特徴とする。これにより、ほぼ矩形形状の面状浮礁体によって魚類の隠れ場所となる陰影部分の面積を大きく確保した浮魚礁をより簡易に製作できる。
また、請求項３に記載の発明の浮魚礁は、請求項１記載の浮魚礁において、多数の小浮体をロープにより数珠状に連結し、その数珠状に連結した多数の小浮体を同一平面上で渦巻状に配置することによりほぼ円形形状の面状浮礁体を構成することを特徴とする。これにより、ほぼ円形形状の面状浮礁体によって魚類の隠れ場所となる陰影部分の面積を大きく確保した浮魚礁をより簡易に製作できる。
【発明の効果】
【０００７】
本発明の浮魚礁は、多数の小浮体をロープにより同一平面上で連結して面状浮礁体を構成したため、製作および設置が容易で、魚類の隠れ場所となる陰影部分の面積が大きく魚類の集まりやすい、すなわち蝟集効率を向上させた浮魚礁を提供できる。
【図面の簡単な説明】
【０００８】
【図１】本発明に係る浮魚礁（実施形態１）の斜視図である。
【図２】本発明に係る浮魚礁（実施形態１）の平面図である。
【図３】小浮体の一例を示す図である。
【図４】本発明に係る浮魚礁（実施形態２）の平面図である。
【図５】本発明に係る浮魚礁の他の例（２層構成）の斜視図である。
【発明を実施するための形態】
【０００９】
図１は、本発明に係る浮魚礁１０の斜視図、図２は、その浮魚礁１０の平面図、図３（ａ），（ｂ）は、その浮漁礁１０を構成する小浮体１を示す側面図、平面図である。図１および図２に示すように、本発明に係る浮魚礁１０は、多数の小浮体１に１本の長尺のロープ２を通して数珠状に連結したものを同一平面上で所定の長さＬ毎にジグザグ状に折り返して略矩形状に配置するとともに、各折り返し部分に位置する両側の各小浮体１ａ，１ｂそれぞれを２本のロープ３ａ，３ｂにより貫通させて連結することによりほぼ矩形板状に構成した面状浮礁体４を有する。そして、この面状浮礁体４には、その四隅にそれぞれ係留索（ロープ）５の上端部が連結され、それら４本の係留索５の下端部に錘であるアンカー６が連結されている。小浮体１の素材としては、浮力を有するものであればよく、ポリプロピレンなどの水よりも比重の小さい合成樹脂、あるいは発泡により比重が１以下になった発泡樹脂（例えば、積水化学工業社製のガラス長繊維強化プラスチック発泡体「エスロン（登録商標）ネオランバーＦＦＵ」）などが好適である。また小浮体１は、図３に示すように、その中心を通過する貫通孔１１が互いに干渉しないように位置をずらした直交状態に形成され、連結用のロープ２，３ａ，３ｂを挿通できるように形成されている。なお、小浮体１の形状は、球体以外に円柱状、直方体状など、特に限定されない。
【００１０】
このため、実施形態１の浮魚礁１０は、多数の小浮体１をロープ２により数珠状に連結し、その数珠状に連結した多数の小浮体１を同一平面上で所定の長さＬ毎にジグザグ状に折り返し配置することによりほぼ矩形形状の面状浮礁体４を構成したので、面状浮礁体４が単純な構造となる。その結果、浮魚礁１０を簡易に製作でき、製造コストを低減化できると共に、海流（潮流）に対する抵抗も小さくなり、浮魚礁１０の設置費用も低減化できる。また、面状浮礁体４は、ほぼ矩形形状であるため、魚類の隠れ場所となる陰影部分の面積を大きく確保することができる。これにより、蝟集効率を向上させることができ、魚類の集まり易い浮魚礁１０を提供できる。特に、面状浮礁体４を構成する多数の小浮体１は、連結用のロープ２，３ａ，３ｂのみにより連結されているため、海流や波の影響を受けても容易に形を変えて海流や波の影響を低減させることにより、長期的に安定した状態で海中に設置可能となる。また、面状浮礁体４を構成する多数の小浮体１は球体であるため、隣接する小浮体１間には必ず隙間が形成されるので、その隙間が幼魚の住処（隠れ家）にもなり、幼魚の成育にも最適である。
【００１１】
実施形態２．
図４は、この発明の実施形態２の浮漁礁１０’の平面図である。実施形態２の浮漁礁１０’は、多数の小浮体１を１本の長尺のロープ２を介して数珠状に連結したものを同一平面上で渦巻状に配置し、中心側から外側に向けて例えば３本のロープ３ｃ，３ｄ，３ｅを貫通させて、ほぼ円形形状の面状浮礁体４’を構成したものである。なお、図示はしないが、係留索５およびアンカー６は図１に示す実施形態１の浮漁礁１０と同様である。
【００１２】
このため、実施形態２の浮魚礁１０’によれば、実施形態１の浮魚礁１０と同様の効果に、浮魚礁１０’を簡易に製作できると共に、面状浮礁体４’により魚類の隠れ場所となる陰影部分の面積を大きく確保することができ、蝟集効率を向上できる等の効果が得られる。
【００１３】
なお、実施形態１の浮漁礁１０の面状浮礁体４は、ほぼ矩形形状である一方、実施形態２の浮漁礁１０’の面状浮礁体４’は、ほぼ円形形状に構成したが、本発明では、面状浮礁体を３角形や５角形、６角形などの多角形に構成しても勿論よい。また、実施形態１，２では、面状浮礁体４，４’を１層で構成したが、本発明では、これに限らず、図５に示すように、２つの面状浮礁体４を係留索５’を介して所定の間隔を空けて２層で設ける等、面状浮礁体４，４’を多層に設けた浮漁礁１０”を構成しても勿論よいし、さらに図示はしないが、複数の面状浮礁体４，４’を、間隔を空けずに重ねて設けるようにしても良い。前者（図５）の場合は、２つの面状浮礁体４が所定の間隔を空けて設けられるため、２つの面状浮礁体４の分だけ魚類の隠れ場所となる陰影部分の面積を大きく確保して、より蝟集効率を向上させることができる。一方、後者の場合は、魚類の隠れ場所となる物陰の面積は、１層の面状浮礁体４，４’の場合と変わらないが、面状浮礁体４，４’を重ねて配置することにより、その分だけ浮力が大きくなると共に、上下方向に隣接する小浮体１間にも隙間が形成されるので、その分だけ幼魚の住処（隠れ家）となる隙間が増えることになり、幼魚の成育にさらに適することになる。
【符号の説明】
【００１４】
１，１ａ，１ｂ…小浮体、１１…貫通孔、２，３ａ〜３ｅ…ロープ、４，４’…面状浮礁体、５，５’…係留索、６…アンカー（錘）、１０，１０’，１０”…浮魚礁。
【図１】
2013106592.tif 000003
【図２】
2013106592.tif 000004
【図３】
2013106592.tif 000005
【図４】
2013106592.tif 000006
【図５】
2013106592.tif 000007